(57)【要約】【課題】２入力機能を備えた光電センサを、センサ信号状態や設定状態を分かり易く表示する。【解決手段】横並びに配置した第１、第２表示部１７、１８には、Ｍキー２３を押すことにより、次の項目の表示が順次切り替わる。▲１▼第１表示部１７に「第１設定値」×第２表示部１８に「第１現在値」、▲２▼第１表示部１７に「第２設定値」×第２表示部１８に「第２現在値」、▲３▼第１表示部１７に「第１余裕度（％表示）」×第２表示部１８に「第１現在値」、▲４▼第１表示部１７に「第２余裕度（％表示）」×第２表示部１８に「第２現在値」を表示する。これら▲１▼から▲４▼項目の表示中に上下キー２１をアップ又はダウン方向に操作することにより、設定しきい値を調整することができる。【選択図】      図２４
2004184193.tif 000002
【特許請求の範囲】
【請求項１】
第１、第２の２つの検出部からの第１、第２の２つの入力を個々独立して受けれて、これら第１、第２の入力による第１、第２の受光量を第１、第２のしきい値と比較して検出結果を出力する２入力光電センサであって、
第１、第２の個々に独立した２つの表示部を有し、
前記第１の表示部に前記第１の受光量を表示し、前記第２の表示部に前記第１のしきい値を表示する第１表示モードと、
前記第１の表示部に前記第２の受光量を表示し、前記第２の表示部に前記第２のしきい値を表示する第２表示モードとを含み、
前記第１、第２の表示モードでは、前記第２の表示部に表示された第１、第２のしきい値を調整することのできることを特徴とする２入力光電センサ。
【請求項２】
前記第１の表示部に前記第１の受光量を表示し、前記第２の表示部に前記第２の受光量を表示する第３表示モードを更に含む、請求項１に記載の２入力光電センサ。
【請求項３】
前記第１の表示部に前記第１のしきい値を表示し、前記第２の表示部に前記第２のしきい値を表示する第４表示モードを更に含む、請求項１又は２に記載の２入力光電センサ。
【請求項４】
前記第１検出部が所定時間内に検出した受光量の第１ピーク値を前記第１の表示部に表示し、前記第２検出部が所定時間内に検出した受光量の第２ピーク値を前記第２の表示部に表示する第５表示モードを更に含む、請求項１〜３のいずれか一項に記載の２入力光電センサ。
【請求項５】
前記第１検出部が所定時間内に検出した受光量の第１ボトム値を前記第１の表示部に表示し、前記第２検出部が所定時間内に検出した受光量の第２ボトム値を前記第２の表示部に表示する第６表示モードを更に含む、請求項１〜４のいずれか一項に記載の２入力光電センサ。
【請求項６】
前記第１のしきい値に対する前記第１の受光量の相対値である第１余裕度を前記第１の表示部に表示し、前記第２のしきい値に対する前記第２の受光量の相対値である第２余裕度を前記第２の表示部に表示する第７表示モードを更に含む、請求項１〜５のいずれか一項に記載の２入力光電センサ。
【請求項７】
前記第１のしきい値に対する前記第１の受光量の相対値である第１余裕度と、前記第２のしきい値に対する前記第２の受光量の相対値である第２余裕度とを前記第１の表示部にバー表示し、前記第１の受光量と前記第２受光量とを前記２表示部に切り替え表示する第８表示モードを更に含む、請求項１〜８のいずれか一項に記載の２入力光電センサ。
【請求項８】
第１、第２の２つの検出部を備え、これら第１、第２の検出部からの第１、第２の受光量を第１、第２のしきい値と比較して検出結果を出力する２入力光電センサであって、
横並びに配置された第１、第２の個々に独立した２つの表示部を有し、
前記第１のしきい値に対する前記第１の受光量の相対値である第１余裕度と、前記第２のしきい値に対する前記第２の受光量の相対値である第２余裕度とが、前記第１、第２の表示部とに亘って延びるバー表示されることを特徴とする２入力光電センサ。
【発明の詳細な説明】
【０００１】
【発明の属する技術分野】
この発明は、光電センサに関し、特に２つの表示部及び２つの入力機能を備えた２入力光電センサに関する。
【０００２】
【従来の技術】
光電センサは、製造現場や製品検査工程などで、検出物の有無を検出するのに用いられる。工業製品の小型化あるいは製造コストの削減、品質向上など、製造現場へ要求は、年々厳しさを増している。このような環境で、各種センサ又はスイッチに要求される性能も高くなり、また、高機能化の要求も強くなっている。また、省スペースの要請は、光電センサにも波及するものであり、一層の小型化が常に要請されている。
【０００３】
従来の光電センサの中には、特開平９−２５２２４２号公報に見られるように、表示部を供えたものが知られており、この種の光電センサにあっては、一つの表示部を備えた光電センサが一般的であり、例えばしきい値を表示させながらスイッチ又はボタンを押して、設定しきい値を微調整できるようになっている。
【０００４】
一つの表示部を使って、現在値（受光量）や設定値（しきい値）などを表示する場合、この表示を切り替えるためにユーザは何回もキー操作又はボタン操作を反復しなければならないという問題がある。
【０００５】
【発明が解決しようとする課題】
光電センサの多様性のなかで、例えば、２つの入力機能を備えた２入力光電センサを開発した場合、これを一つの表示部で様々な情報を表示するとしたら、ボタン操作又はキー操作の回数が増大することになる。
【０００６】
すなわち、表示対象を、受光量（現在値）、しきい値（設定値）、余裕度の３つを表示しようする場合、これらを一つの表示部で、キー操作によって、第１現在値→第２現在値→第１設定値→第２設定値→第１余裕度→第２余裕度と表示切り替えする必要があり、ユーザが所望の情報を表示させるのに、数多くのキー操作が必要となる。
【０００７】
そこで、本発明の目的は、センサの小型化や配線工数の削減などが要求されている昨今において、２入力機能を備えた光電センサを、センサ信号状態や設定状態を分かり易く表示することのできる２入力光電センサを提供することにある。
【０００８】
【課題を解決するための手段】
かかる技術的課題は、本発明によれば、
第１、第２の２つの検出部からの第１、第２の２つの入力を個々独立して受けれて、これら第１、第２の入力による第１、第２の受光量を第１、第２のしきい値と比較して検出結果を出力する２入力光電センサであって、
第１、第２の個々に独立した２つの表示部を有し、
前記第１の表示部に前記第１の受光量を表示し、前記第２の表示部に前記第１のしきい値を表示する第１表示モードと、
前記第１の表示部に前記第２の受光量を表示し、前記第２の表示部に前記第２のしきい値を表示する第２表示モードとを含み、
前記第１、第２の表示モードでは、前記第２の表示部に表示された第１、第２のしきい値を調整することのできることを特徴とする２入力光電センサを提供することにより達成される。
【０００９】
上記の第１表示モードと第２表示モードとを所定時間が経過したら自動的に切り替えてもよいし、ユーザのキー操作によって表示切り替えを行うようにしてもよい。また、第１、第２の表示モードのときに、キー操作を行うことにより、第１、第２のしきい値を調整できるようにするのが好ましい。
【００１０】
第１表示モードと第２表示モードを備えることにより、２入力光電センサの２つのセンサ信号状態と、この光電センサが監視するシステムの稼働状態とを簡単に把握することができ、また、各入力に関する設定の確認も容易であり、これにより、センサ誤作動の防止や保全行為の簡略化が可能になる。
【００１１】
【発明の実施の形態】
本発明の実施の形態では、第１の表示部に前記第１の受光量を表示し、第２の表示部に前記第２の受光量を表示する第３表示モードを更に含む。また、第１の表示部に前記第１のしきい値を表示し、前記第２の表示部に前記第２のしきい値を表示する第４表示モードを更に含む。このような第３、第４の表示モードを備えることにより、２つのセンサ信号状態と、この光電センサが監視するシステムの稼働状態とを簡単に把握することができ、また、各入力に関する設定の確認も容易であり、これにより、センサ誤作動の防止や保全行為の簡略化が可能になる。
【００１２】
また、第１検出部が所定時間内に検出した受光量の第１ピーク値を前記第１の表示部に表示し、第２検出部が所定時間内に検出した受光量の第２ピーク値を前記第２の表示部に表示する第５表示モードを更に含む。また、第１検出部が所定時間内に検出した受光量の第１ボトム値を前記第１の表示部に表示し、前記第２検出部が所定時間内に検出した受光量の第２ボトム値を前記第２の表示部に表示する第６表示モードを更に含む。このような第１、第２のピーク値又は第１、第２のボトム値を２つの表示部を使って表示することで、センサの変動幅を容易に確認することができる。
【００１３】
また、第１のしきい値に対する前記第１の受光量の相対値である第１余裕度を前記第１の表示部に表示し、第２のしきい値に対する前記第２の受光量の相対値である第２余裕度を前記第２の表示部に表示する第７表示モードを更に含む。また、第１のしきい値に対する前記第１の受光量の相対値である第１余裕度と、第２のしきい値に対する前記第２の受光量の相対値である第２余裕度とを前記第１の表示部にバー表示し、前記第１の受光量と前記第２受光量とを前記２表示部に切り替え表示する第８表示モードを更に含む。このように第１、第２の余裕度を２つの表示部を使って表示することにより、特に、第１、第２の受光量と一緒に表示することにより、センサの検出状態の把握が容易になる。第１、第２の余裕度の表示に関し、％数値表示であってもよく、バー形式の表示であってもよい。横並びに配置された２つの表示部を連続的つまり一体的に使って、第１、第２の余裕度をバー形式で表示するようにしてもよく、これによれば、２つの余裕度を詳細且つ同時に表示することが可能になる。このように余裕度をバー形式で表示することにより、機器の奥まった箇所や数字を視認し難い箇所に設置した場合であっても、動作状態を確認するのが容易であり、これにより、視認性を向上して、センサの検出状態の確認が容易になる。
【００１４】
【実施例】
以下に、添付した図面に基づいて本発明の好ましい実施例を詳しく説明する。図１、図２は、第１実施例の２入力機構を備えた光電センサを示すものであり、図１は光電センサの斜視図であり、図２は、その平面図である。図示の光電センサ１００は、増幅器やＣＰＵなどを組み込んだ本体に発光素子と発光素子を配置した一体型の光電センサである。
【００１５】
２入力機構を備えた光電センサ１００は、幅狭の比較的細長いボックス状のケーシング１１を有し、ケーシング１１の内部には、二対の発光素子１２ａ、１２ｂ、受光素子１３ａ、１３ｂ（図３参照）が設けられ、これら素子１２ａ、１２ｂ、１３ａ、１３ｂに臨む二対つまり四本の光ファイバ１４ａ、１４ｂ、１５ａ、１５ｂがケーシング１１の一端面から外部に延出している（図１）。すなわち、この光電センサ１００は後述するように２入力機構を有し、第１の対の光ファイバ１４ａ、１５ａが第１の検出部を構成し、第２の対の光ファイバ１４ｂ、１５ｂが第２の検出部を構成している。光電センサ１００への電源供給及び出力は、ケーシング１１の他端面から延出するケーブル１６（図１）を通じて行われる。
【００１６】
図１から最も良く理解できるように、ケーシング１１の上面１１ａには、左右又は横並びに隣接して配置された第１、第２の表示部１７、１８が設けられている。この第１、第２の表示部１７、１８は、共に、横並びに隣接して配置された４つセクションを有しており、各セクションは７セグメントＬＥＤで構成されている。第１、第２の表示部１７、１８は、各々、数字及び／又はアルファベット文字を横並びに４つ表示することができる。従って、例えば第１、第２の表示部１７、１８で数値を表示するときには、４桁の数値を表示することが可能である。７セグメントＬＥＤは、これを１色ＬＥＤで構成してもよく、また、２色ＬＥＤで構成してもよく、また、一方の表示部１７（又は１８）を第一の色で表示し、他方の表示部１８（又は１７）を別の第二の色で表示することもできる。また、第１、第２の表示部１７、１８は、白黒又はカラー液晶（ＬＣＤ）で構成されてもよい。
【００１７】
ケーシング１１の上面１１ａには、また、出力論理スイッチ１９と、出力オン／オフ−インジケータ２０と、スイング式のしきい値調整スイッチ又は上下キースイッチ２１と、しきい値設定又はしきい値セットキースイッチ２２と、表示モード切り替えキースイッチ２３（以下、Ｍキーという）とを有し、このケーシング１１の上面１１ａは、その他端にピボット軸を介して取り付けられた片開き式の蓋２４（図１）を有し、この蓋２４によって上面１１ａを覆うことができる。
【００１８】
出力オン／オフ−インジケータ２０は、受光量（現在値）としきい値（設定値）の関係から、検出物の有無を検出して出力する状態を示す時に点灯又は消灯する。また、その点灯や消灯と出力状態との関係を論理（オン時に点灯又は消灯）は出力論理スイッチ１９により変更できる。
【００１９】
しきい値設定（セット）キースイッチ２２は、しきい値を自動的に設定するのに用いられる。すなわち、検出物Ｔ（図３参照）を検出エリアに配置した状態で、しきい値設定キースイッチ２２を押し、次いで、検出エリアから検出物Ｔを取り除いた状態で、しきい値設定キースイッチ２２を再び押すと、検出物Ｔが存在しているときの受光量と、検出物Ｔを取り除いたときの受光量との間の値がしきい値として自動的に設定される。このしきい値の自動設定は、第１、第２の検出部毎に独立して行うことができる。第１の検出部に関連して設定された第１のしきい値（第１設定値）及び第２の検出部に関連して設定された第２のしきい値（第２設定値）は、後に詳しく説明するように、第１表示部１７又は第２表示部１８に表示される。Ｍキー２３は、後に詳しく説明するように、第１、第２の表示部１７、１８の表示画面の切り替え及び表示項目の変更などに用いられる。
【００２０】
図３は、２入力機構を備えた光電センサ１００の全体概要を示すブロック図である。光電センサ１００は、例えば光ダイオードなどからなる第１、第２の発光素子１２ａ、１２ｂを発光させるための第１、第２の駆動回路３０と、モニタ用の第１、第２の光ダイオード３１ａ、３１ｂとを有し、また、光ダイオードなどからなる第１、第２の受光素子１３ａ、１３ｂ（これらを総称するときには参照符号１３を使用して説明する）に接続された第１、第２の受光回路３２ａ、３２ｂと、この第１、第２の受光回路３２ａ、３２ｂからの出力信号をＡ／Ｄ変換する第１、第２のＡ／Ｄ変換器３３ａ、３３ｂと、第１、第２の表示部１７、１８を制御するゲートアレイ又は処理回路３４と、この処理回路３４からの信号を外部に送出する出力回路３５とを有し、先に説明したしきい値調整スイッチやモード切り替えキースイッチなど各種スイッチ２１〜２３を含む操作部３６からの信号は処理回路３４に入力される。
【００２１】
光電センサ１００は、典型的には、受光素子１３が獲得した受光量（第１入力、第２入力）をしきい値と比較し、その大小によって検出物Ｔの有無を検出し、その結果を出力するものであるが、第１、第２の表示部１７、１８の表示例を図４〜図２３を参照して説明する。
【００２２】
（１）図４に例示のように、第１の表示部１７に第１のしきい値（第１設定値）を表示し、第２の表示部１８に、第１の検出部が検出した現在の受光量（現在値）を表示することができる。勿論のことであるが、第１の表示部１７に現在値を表示し、第２の表示部１８に第１のしきい値（第１設定値）を表示してもよく、この関係は以下の例でも同様である。また、第１表示部１７と第２表示部１８との表示色を異ならせて、ユーザに識別可能な状態にすることが好ましい。このことは以下の例でも同様である。
【００２３】
（２）図４に図示のように、第１の表示部１７に第２のしきい値（第２設定値）を表示し、第２の表示部１８に、第２の検出部が検出つまり第２入力の現在の受光量（現在値）を表示することができる。
【００２４】
（３）図５に図示のように、第１の表示部１７に第１の現在値を表示し、第２の表示部１８に第２の現在値を表示することができる。
【００２５】
（４）図６に図示のように、第１の表示部１７に第１の設定値を表示し、第２の表示部１８に第２の設定値を表示することができる。
【００２６】
（５）図７に図示のように、第１の表示部１７に第１の現在値、第２の現在値を切り替え表示し、第２の表示部１８には、第１表示部１７の表示切り替えに同期して、第１、第２の設定値を切り替え表示することができる。この表示切り替えは、キー操作によって行うようにしてもよく、また、自動的に所定時間が経過したら表示が切り替わるようにしてもよい。このような表示を行うときには、第１、第２の表示部１７、１８で第１の現在値及び第１の設定値を表示するときの色と、第２の現在値及び第２の設定値を表示するときの色とを異ならせたり、第１の現在値及び第１の設定値を表示するときには点灯表示にし、第２の現在値及び第２の設定値を表示するときには点滅表示にするなどにより、識別可能な状態で表示するのが好ましい。
【００２７】
上記（１）〜（５）のように２つのセンサ信号状態が第１、第２の表示部１７、１８を使って同時に表示されるため、対象となる装置の稼働状態を視覚的に容易に把握することができる。また、第１、第２の検出部に関連した設定状況の確認も容易であり、これによりセンサ誤作動の防止や保全行為の簡略化が可能になる。
【００２８】
（６）図８に図示のように、第１の表示部１７に第１のしきい値（第１設定値）を表示し、第２の表示部１８に、第１の検出部での入力つまり第１入力の現在の受光量（現在値）に関連した第１の余裕度を表示することができる。勿論のことであるが、第１の表示部１７に第１余裕度を表示し、第２の表示部１８に第１設定値を表示してもよく、この関係は以下の例でも同様である。
【００２９】
（７）図９に図示のように、第１の表示部１７に第２のしきい値（第２設定値）を表示し、第２の表示部１８に、第２の検出部が検出した現在の受光量（現在値）に関連した第２の余裕度を表示することができる。
【００３０】
（８）図１０に図示のように、第１の表示部１７に第１の余裕度を表示し、第２の表示部１８に第２の余裕度を表示することができる。
【００３１】
（１０）図１１に図示のように、第１の表示部１７に第１設定値、第２設定値を切り替え表示し、第２の表示部１８には、第１表示部１７の表示切り替えに同期して、第１、第２の余裕度を切り替え表示することができる。この表示切り替えは、キー操作によって行うようにしてもよく、また、自動的に所定時間が経過したら表示が切り替わるようにしてもよい。このような表示を行うときには、第１、第２の表示部１７、１８で第１の設定値及び第１の余裕度を表示するときの色と、第２の設定値及び第２の余裕度を表示するときの色とを異ならせたり、第１の設定値及び第１の余裕度を表示するときには点灯表示にし、第２の設定値及び第２の余裕度を表示するときには点滅表示にするなどにより、識別可能な状態で表示するのが好ましい。
【００３２】
（１１）図１２に図示のように、第１の表示部１７に第１現在値、第２表示部１８に第１余裕度を表示してもよく、また、第１の表示部１７に第２現在値、第２表示部１８に第２余裕度を表示してもよく、これらを、キー操作や所定時間経過したときに表示切り替えするようにしてもよい。このような表示の切り替えを行うときには、第１、第２の現在値とで表示の色を変えるなどして、第１検出部の表示と第２検出部の表示とが識別可能な状態で表示するのが好ましい。
【００３３】
上記（６）〜（１１）のように出力の余裕度を表示することにより、第１、第２の検出部での検出状況の把握が容易になる。余裕度の表示形式としては、数値表示（％表示）であってもよく、バー表示であってもよい。
【００３４】
（１２）図１３に図示のように、第１の表示部１７に第１入力の受光量の第１ピークホールド値を表示し、第２の表示部１８に第１入力の第１ボトムホールド値を表示することができる。
【００３５】
（１３）図１４に図示のように、第１の表示部１７に第２入力の受光量の第２ピークホールド値を表示し、第２の表示部１８に第２入力の第２ボトムホールド値を表示することができる。
【００３６】
（１４）図１５に図示のように、第１の表示部１７に第１ピークホールド値を表示し、第２の表示部１８に第２ピークホールド値を表示することができる。
【００３７】
（１５）図１６に図示のように、第１の表示部１７に第１入力の受光量の第１ボトムホールド値を表示し、第２の表示部１８に第２入力の受光量の第２ボトムホールド値を表示することができる。
【００３８】
（１６）図１７に図示のように、第１の表示部１７に第１、第２のピーク値を切り替え表示し、第２の表示部１８には、第１表示部１７の表示切り替え同期して、第１、第２のボトム値の表示切り替えを行うことができる。この切り替え表示は、キー操作によって行うようにしてもよく、また、自動的に所定時間が経過したら表示が切り替わるようにしてもよい。また、このような表示を行うときに、第１、第２の表示部１７、１８で第１のピーク値及び第１のボトム値を表示するときの色と、第２のピーク値及び第２のボトム値を表示するときの色とを異ならせたり、第１のピーク値及び第１のボトム値を表示するときには点灯表示にし、第２のピーク値及び第２のボトム値を表示するときには点滅表示にするなどにより、識別可能な状態で表示するのが好ましい。
【００３９】
（１７）図１８に図示のように、第１の表示部１７に第１ピークホールド値と第１ボトムホールド値とを切り替え表示し、第２の表示部１８には、第１表示部１７の表示切り替え同期して、第２ピークホールド値と第２ボトムホールド値の表示切り替えを行うことができる。この表示切り替えは、キー操作によって行うようにしてもよく、また、自動的に所定時間が経過したら表示が切り替わるようにしてもよい。また、第１、第２の表示部１７、１８で表示の色を変えたり、一方の表示部を点灯表示し、他方の表示部を点滅表示するなどにより、その表示が第１入力に関するものなのか、第２入力に関するものなのかの識別が容易にするのが好ましい。
【００４０】
以上の表示態様は、図１に図示したように第１、第２の表示部１７、１８を横並びにしたものに限定されず、第１、第２の表示部１７、１８を縦並びに配置（第１、第２の表示部１７、１８を上下２列に平行に配置）したものにも同様に適用可能である。
【００４１】
図８〜図１１に例示した余裕度の表示に関し、図１９に例示するように、例えば７セグメントＬＥＤの上段又は下段の縦セグメントを用いて余裕度を表示するようにしてもよく、この場合、上段又は下段の縦セグメントの中央のセグメントを指標に余裕度のプラスマイナスを表示するようにしてもよい。例えば、１本の縦セグメントのレベルを５％に設定した場合、４つの７セグメントに含まれる上部及び下部の縦セグメントは、夫々、８本が横並びに配置していることから、右から４本目の縦セグメントと、右から５本目の縦セグメントとの間にしきい値レベルを設定すれば、このしきい値レベルを挟んで、プラス／マイナス２０％の範囲で余裕度を示すことができる。
【００４２】
余裕度のバー表示に関し２入力機能を備えた光電センサ１００にあっては、横並びに配置した第１、第２の表示部１７、１８を使って余裕度をバー表示するのに、図１９〜図２２に例示するように、第１、第２の表示部１７、１８に含まれる縦セグメントや横セグメントを連続的に使用して表示するようにしてもよい。この場合、第１、第２の表示部１７、１８の表示色を異ならせて（例えば左に位置する第１表示部１７を青色、右に位置する第２表示部１８を赤色表示）、第１、第２の表示部１７、１８の境界を利用してプラスマイナスの表示を視覚的に明示するようにしてもよい。
【００４３】
余裕度のバー表示を用いた場合、図２２に例示するように、一方の表示部１７（表示部１８であってもよい）の上段のセグメントと下段のセグメントとを用いて、第１、第２の余裕度を表示し、他方の表示部１８を用いて、例えば第１、第２の現在値を表示することができる。ちなみに、図２２は、第１表示部１７に第１、第２の余裕度をバー表示し、第２表示部１８では、第１現在値と第２現在値の表示を切り替える例を図示している。
【００４４】
第１入力に関する第１現在値、第１設定値、第１余裕度、第１ピークホールド値、第１ボトムホールド値の表示及び第２入力に関する第２現在値、第２設定値、第２余裕度、第２ピークホールド値、第２ボトムホールド値の表示に関し、ユーザが予め第１入力表示か第２入力表示かを選択することにより、例えば、第１入力表示を選択したときには、第１現在値、第１設定値、第１余裕度、第１ピークホールド値、第１ボトムホールド値を順次表示するようにし、第２入力表示を表示しないようにしてもよい。
【００４５】
このように、第１、第２の入力のいずれか一方の入力だけに制限して表示するときには、第１、第２の表示部１７、１８を使って、
（１）第１又は第２の設定値ｘ第１又は第２の現在値
（２）第１又は第２の余裕度（％表示）ｘ第１又は第２の現在値
（３）第１又は第２の余裕度（バー表示）ｘ第１又は第２の現在値
（４）第１又は第２のピークホールド値ｘ第１又は第２のピークボトム値
を例えばキー操作によって又は所定時間が経過したら自動的に切り替えるようにしてもよい。
【００４６】
また、予めユーザが例えばメニュー画面を使って選択することにより、設定値や余裕度を主体にした表示モードを用意してもよい。
【００４７】
例えば、ユーザが設定値主体表示モードを選択したときには、第１、第２の表示部１７、１８を使って、
（１）第１設定値ｘ第１現在値
（２）第２設定値ｘ第２現在値
（３）第１現在値ｘ第２現在値
（４）第１設定値ｘ第２設定値
を例えばキー操作によって又は所定時間が経過したら自動的に切り替えるようにしてもよい。
【００４８】
例えば、ユーザが余裕度主体表示モードを選択したときには、第１、第２の表示部１７、１８を使って、
（１）第１余裕度ｘ第１現在値
（２）第２余裕度ｘ第２現在値
（３）第１現在値ｘ第２現在値
（４）第１余裕度ｘ第２余裕度
を例えばキー操作によって又は所定時間が経過したら自動的に切り替えるようにしてもよい。
【００４９】
余裕度の表示に関して、例えばメニュー画面を使って選択することによりバー表示にするか数値（％）表示にするかを選択できるようにしてもよい。また、第１入力に関する第１現在値、第１設定値、第１余裕度、第１ピークホールド値、第１ボトムホールド値の表示及び第２入力に関する第２現在値、第２設定値、第２余裕度、第２ピークホールド値、第２ボトムホールド値の表示に関し、ユーザが、例えばメニュー画面を使って、第１入力表示か第２入力表示かを選択することにより、例えば、第１入力表示を選択したときには、第１現在値、第１設定値、第１余裕度、第１ピークホールド値、第１ボトムホールド値を順次表示するようにし、第２入力表示を表示しないようにしてもよい。
【００５０】
図２３以降の図面は、第１、第２の表示部１７、１８の表示に関する具体例を例示するものである。
【００５１】
第１、第２表示部１７、１８からなるディスプレーに表示する情報は、大別すると次のとおりである。
（Ａ）受光量（現在値）及び／又はしきい値（設定値）関連
（Ｂ）動作状態の確認
（Ｃ）各種設定事項やパラメータつまり動作機能設定
（Ｄ）ディスプレー関係
【００５２】
（Ａ）「受光量及び／又はしきい値関連」に関する表示項目
▲１▼現在の受光量の数値表示
▲２▼しきい値（設定値）の数値表示
【００５３】
▲３▼余裕度のバー表示（パーセント（％）数値表示でもよい）
余裕度とは、しきい値に対する現在の受光量の相対値であり、次の式で表すことができる。
余裕度＝受光量／しきい値
【００５４】
▲４▼所定時間内での受光量のピークホールド値及びボトムホールド値の表示（ピークホールド値及びボトムホールド値のパーセント（％）表示でもよい）
【００５５】
（Ｂ）「動作状態の確認」に関する表示項目
▲１▼動作モードの確認
動作モードとは、実施例の光電センサ１００で設定可能な複数の動作又は能力に関するものであり、最適な検出距離などによって複数の動作モードの中から一つの動作モードを設定できるようになっている。この動作モードについては、後に詳しく説明する。
▲２▼タイマモードの確認
タイマモードについては、後に説明する。
【００５６】
（Ｃ）「動作機能設定」に関する表示項目
▲１▼動作モード切り替え
後に詳しく説明するが、光電センサ１００は、複数の動作モードから一つの動作モードを選択して使用することにより、検出環境に適合した能力で使用できるようになっている。
【００５７】
▲２▼タイマモードのオン／オフ切り替え及びタイマ値設定
タイマモードがＯＦＦされると、光電センサ１００が検出物Ｔの存在を検出すると直ちに検出信号を出力し、検出物Ｔの存在を検出している間、検出信号を出力し続ける。これに対して、タイマモードをＯＮすると、検出物Ｔの存在を検出した後、設定した遅延時間が経過した後に、ＯＮ信号を出力するか、又は、検出物Ｔの存在が無くなったことを検出した後、設定した遅延時間が経過した後に、ＯＦＦ信号を出力する。この遅延時間（タイマ値）についても任意に設定することができる。
【００５８】
また、このタイマモードのオン／オフ切り替えは、ワンショット制御を含む。ワンショット制御とは、例えば検出物Ｔを検出した際、この検出物Ｔを検出している期間に影響されず、検出に対応して一度だけ生成されるＯＮ信号の立ち上がりから一定時間ＯＮ信号を出力するものである。具体的には、検出物Ｔが微小物体で実際の検出時間が短い際に、ＯＮ信号をそれよりも長い時間に設定したい場合や、逆に実際の検出時間が長い場合に、それよりも短いＯＮ信号出力時間を設定したい場合に使用される。また、このＯＮ信号出力時間の長さはタイマ値として任意に設定することができる。
【００５９】
▲４▼光電センサ１００が備えるＡＰＣ機能のオン／オフ切り替え
ここに、ＡＰＣ機能とは、既知のように、発光素子１２の発光量を一定に維持するための機能であり、オンするとＡＰＣ機能が働き、オフするとＡＰＣ機能がキャンセルされる。
▲５▼微分モードの切り替え
この微分モードをオンすると、デジタル処理により、受光量の微分波形が出力される。この微分モードは、検出物Ｔの通過の際の信号の立ち上がり又は立ち下がりの検出つまりエッジ検出などに用いられる。
▲６▼基本表示態様である「しきい値関連表示」での表示モードの設定
光電センサ１００にあっては、「しきい値関連表示」に関する一部の項目だけを表示する部分表示モード（「Ｓｔｄ」モード）と、全ての項目を表示する全表示モード（「Ｆｕｌｌ」モード）とに選択可能である。
【００６０】
（Ｄ）ディスプレー関係に関する表示項目
▲１▼エコモードの切り替え
エコモードは、２段階に設定できるようになっている。第１段階は、これを「ハーフ（Ｈａｌｆ）」モードと呼ぶが、数値などが単に例えば赤又は緑の小さなランプ状の表示形態に変り、何らかのキーを押すと、通常の表示つまり数値又は文字に戻る。第２段階は、これを「オール（Ａｌｌ）」モードと呼ぶが、数値などが完全に消灯して何らかのキーを押すと通常の表示に戻る。
▲２▼表示値シフト切り替え
受光量の表示において、その数値をシフトさせるものである。表示値シフト切り替えをオフすると、実際の受光量に対応する数値が表示されるが、オンすると、ユーザが任意に設定した数値分だけ実際の数値よりも大きい又は小さい数値が表示される。例えば、光電センサを４つ並べて配置したときに、各光電センサ事に受光量の表示が異なるような場合に、視覚的に、表示される数値を統一するときに用いられる。
【００６１】
以上、列挙した表示項目の単なる例示であり、光電センサが益々多機能化すれば、これに伴って表示すべき情報として別の項目が追加されることになるであろうし、設計する光電センサの付加的な機能に応じて表示項目が変更されるのは勿論である。
【００６２】
光電センサ１００の第１、第２の表示部１７、１８での表示態様に関し、図２３を参照して概要を説明すれば次のとおりである。
【００６３】
▲１▼第１（基本）表示態様と第２表示態様とを含む。
基本表示態様（第１表示態様）では「受光量及び／又はしきい値関連」の表示が行われる。付加的な表示態様（第２表示態様）では、（Ｂ）「動作状態の確認」の項目と（Ｃ）「各種設定事項やパラメータ」に関する項目と（Ｄ）「ディスプレー関連」の項目とを含む。
【００６４】
▲２▼基本表示態様では、ユーザの使用頻度や必要性の度合いなどを考慮に入れて、特に使用頻度や必要性の度合いの高い項目だけを表示する部分表示モード（「Ｓｔｄ」モード）と、全ての項目を表示する全表示モード（「Ｆｕｌｌ」モード）とを用意してある。
【００６５】
▲３▼第２表示態様は「動作機能設定」及び「ディスプレー関連」に関するものであるが、この第２表示態様に含まれる項目の中から、光電センサ１００の基本的な設定に関するもの又はユーザの使用頻度や必要性の度合いの高い項目だけを表示する部分表示モード（「Ｅａｓｙ」モード）と、全ての項目を表示する全表示モード（「Ｐｒｏ」モード）とを択一的にユーザが選択できるようになっている。
【００６６】
光電センサ１００の第１、第２の表示部１７、１８での表示に関する操作については、モード切り替えキースイッチ（Ｍキー）２３を例えば３秒間以上押し続ける（以下、「長押し」という）ことによって、基本表示態様（「受光量及び／又はしきい値関連表示」モード）から第２表示態様（「動作機能設定」モード）へジャンプする。勿論、この基本表示態様から第２表示態様への切り替えに関し、別途、そのための専用のキー又はスイッチを用意するようにしてもよいし、光電センサ１００に含まれる別のスイッチに、この表示態様を切り替えする機能を付加するようにしてもよい。また、２つのキー又はスイッチを同時に押すことにより、基本表示態様から第２表示態様へ移行するようにしてもよい。
【００６７】
基本表示態様である「受光量及び／又はしきい値関連表示」モードから、第２表示態様である「動作機能設定」モードへの移行は、上述したように、Ｍキー２３を継続的に３秒以上の押し続ける「長押し」により行うことができるが、その途中で、「Ｅａｓｙ」モード又は「Ｐｒｏ」モードの何れかをユーザに選択させる選択画面が表示され、この選択画面で、ユーザがいずれか一方を選択してこれを設定することにより、第２表示態様での表示形式が設定される。第２表示画面での表示は、選択された「Ｅａｓｙ」又は「Ｐｒｏ」モードで実行される。
【００６８】
図２４、図２５は基本表示態様の「受光量及び／又はしきい値関連」表示を示し、図２４は、基本表示態様のうち部分表示モード（「Ｓｔｄ」モード）が選択されているときの表示の遷移を示す。この「Ｓｔｄ」モードでは、Ｍキー２３を比較的短い時間押すと、順次、表示項目が遷移する。第１、第２の表示部１７、１８での表示の流れは、次のとおりである。なお、第１表示部１７に表示した項目を第２表示部１８に表示し、逆に、第２表示部１８に表示した項目を第１表示部１７に表示するようにしてもよい。
【００６９】
（１）第１表示部１７に「第１設定値」を表示し、第２表示部１８に「第１現在値」を表示する。
（２）第１表示部１７に「第２設定値」を表示し、第２表示部１８に「第２現在値」を表示する。
（３）第１表示部１７に「第１余裕度（％表示）」を表示し、第２表示部１８に「第１現在値」を表示する。
（４）第１表示部１７に「第２余裕度（％表示）」を表示し、第２表示部１８に「第２現在値」を表示する。
【００７０】
これら（１）〜（４）の表示中に、上下キー２１をアップ又はダウン方向に操作することにより、設定されているしきい値を調整することができ、この上下キースイッチ２１の操作を止めた時点のしきい値が新たなしきい値として設定される。ここに、上記（３）又は（４）の表示中に上下キー２１の操作を開始すると、瞬時に（１）表示画面又は（２）表示画面に自動的に切り替わり、この上下キースイッチ２１を操作している間、（１）又は（２）の表示画面が維持され、キースイッチ２１の操作を止めると、元の（３）又は（４）の表示画面に戻る。
【００７１】
図２５は、基本表示態様のうち全表示モード（「Ｆｕｌｌ」モード）が選択されているときの表示の遷移を示す。なお、全表示モード（「Ｆｕｌｌ」モード）と部分表示モード（「Ｓｔｄ」モード）との切り替えは、前述したように設定操作によって行うようになっているが、この切り替えをキー操作によって行うようにしてもよい。
【００７２】
「Ｆｕｌｌ」モードでは、Ｍキー２３を比較的短い時間押すと、順次、表示項目が遷移する。第１、第２の表示部１７、１８での表示の流れは、次のとおりである。なお、第１表示部１７に表示した項目を第２表示部１８に表示し、逆に、第２表示部１８に表示した項目を第１表示部１７に表示するようにしてもよい。
【００７３】
（１）第１表示部１７に「第１設定値」を表示し、第２表示部１８に「第１現在値」を表示する（図２４：Ｓｔｄモードと同じ）。
（２）第１表示部１７に「第２設定値」を表示し、第２表示部１８に「第２現在値」を表示する（図２４：Ｓｔｄモードと同じ）。
（３）第１表示部１７に「第１余裕度」を表示し、第２表示部１８に「第１現在値」を表示する（図２５）。
（４）第１表示部１７に「第１ピークホールド値」を表示し、第２表示部１８に「第１ボトムホールド値」を表示する（図２５）。
（５）第１表示部１７に「第１ピークホールド値」を表示し、第２表示部１８に「第２ピークホールド値」を表示する（図２５）。
（６）第１表示部１７に「第１余裕度」を表示し、第２表示部１８に「第１現在値」を表示する（図２４：Ｓｔｄモードと同じ）。
（７）第１表示部１７に「第２余裕度」を表示し、第２表示部１８に「第２現在値」を表示する（図２４：Ｓｔｄモードと同じ）。
【００７４】
なお、上記（３）表示画面における「第１余裕度ｘ第１現在値」の表示は、所定時間が経過すると自動的に「第２余裕度ｘ第２現在値」に切り替わり、また、所定時間が経過すると自動的に「第１余裕度ｘ第２余裕度」に切り替わり、また所定時間が経過する「第１余裕度ｘ第１現在値」の表示に戻る（図２５）。
【００７５】
また、上記（４）表示画面における「第１ピークホールド値ｘ第２ピークホールド値」の表示は、所定時間が経過すると自動的に「第１ボトムホールド値ｘ第２ボトムホールド値」に切り替わり、また、所定時間が経過すると自動的に、「第１ピークホールド値ｘ第２ピークホールド値」に戻る（図２５）。
【００７６】
また、上記（５）表示画面における「第１ピークホールド値ｘ第１ボトムホールド値」の表示は、所定時間が経過すると自動的に「第２ピークホールド値ｘ第２ボトムホールド値」に切り替わり、また、所定時間が経過すると自動的に、第１表示部１７に第１、第２の余裕度がバー表示され、第２表示部１８に第１現在値が表示され、また、所定時間が経過すると自動的に、第２表示部１８だけが第２現在値に切り替わる。また、所定時間が経過すると自動的に、「第１ピークホールド値ｘ第１ボトムホールド値」に戻る。
【００７７】
図２６は、「動作機能設定」モードでの表示を「Ｅａｓｙ」モードで実行するか、又は、「Ｐｒｏ」モードで実行するかをユーザに選択させるための選択画面を示す。この選択画面は、上述した「受光量及び／又はしきい値関連表示」モードでどのような表示が行われていようとも、Ｍキー２２を長押しすることにより、図２６の選択画面に入ることができる。
【００７８】
「Ｅａｓｙ」又は「Ｐｒｏ」の選択の選択は、第１表示部１７に上下キー２１を押すことによりに「Ｅａｓｙ」又は「Ｐｒｏ」の文字が表示され、この表示が行われてるときに、Ｍキー２３を押すことにより「Ｅａｓｙ」又は「Ｐｒｏ」モードを選択することができ、選択されたモードで「動作機能設定」モードの表示が行われる。
【００７９】
上記図２６の選択画面で「Ｐｒｏ」を選択すると、図２７のＰｒｏ（詳細表示）モードでの表示が行われる。Ｐｒｏモードでは、Ｍキー２３を比較的短い時間押すことにより、次の順序で表示が切り替わり、最後の表示の最中に、Ｍキー２３を押すと、「動作機能設定」モードを脱出して、先に説明した基本表示画面である「受光量及び／又はしきい値関連表示」に戻ることができる。
【００８０】
（１）動作モードの切り替え
（２）タイマモードの切り替え及びタイマ値設定
（３）ＡＰＣ機能のＯＮ／ＯＦＦ切り替え
（４）微分モードの切り替え
（５）エコノミーモードの切り替え
（６）表示値シフトの切り替え及びシフト量の設定
【００８１】
上記（１）動作モードの切り替えで選択可能な動作モードは、基本モードとしてファインモードを有し、これに加えて更に５つの動作モードを有する。すなわち、付加的な動作モードとして、ターボモード、スーパーターボモード、ウルトラターボモード、ハイスピードモード、ハイレゾリューションモードを有する。
【００８２】
▲１▼ファインモード
ファインモードは光電センサ１００の基本動作モードであり、検出距離つまり発光素子１２から検出物Ｔまでの距離が、例えば或るファイバセンサヘッド装着時、１００ｍｍで最適能力を発揮するように光電センサの発光量が設定されている。
このファインモードは、例えばベアリングの刻印の有無を検出するのに適している。微小な刻印の有無による僅かな光量変化を的確に判別することができる。
【００８３】
▲２▼ターボモード
基本動作モードよりも実質的に受光量が増大する設定になっており、検出距離が２００ｍｍのときに最適能力を発揮するように発光量が設定されている。
このターボモードは、例えば台紙上のシールの検出するのに適している。
【００８４】
▲３▼スーパーターボモード
上記のターボモードよりも更に実質的に受光量が増大する設定になっており、検出距離が３００ｍｍのときに最適能力を発揮するように発光量が設定されている。
このスーパーターボモードは、例えば発光素子又は発光素子からの光を導くファイバ及び／又は受光素子又は受光素子に光を導くファイバと検出物Ｔとを離間させた状態で検出物Ｔの有無を検出するのに適している。
【００８５】
▲４▼ウルトラターボモード
上記のスーパーターボモードよりも更に実質的に受光量が増大する設定になっており、検出距離が４００ｍｍのときに最適能力を発揮するように発光量が設定されている。
このウルトラターボモードは、例えば、スーパーターボよりも遠く離れた検出物Ｔの有無を検出する、或いは、埃、汚れなどの多い悪環境下で検出物Ｔを検出する際に用いるのに適している。
【００８６】
▲５▼ハイスピードモード
このハイスピードモードは、上述した基本動作モードよりも応答速度を高める設定になっており、比較的早く通過する検出物Ｔを検出するのに適している。
【００８７】
▲６▼ハイレゾリューションモード
このハイレゾリューションモードは、上述した基本動作モードとは異なり、光電センサの投光と受光の間隔を近づけても光量が飽和しないモードであり、微小物を透過型の光電センサで検出するのに適している。
【００８８】
図１５は、「Ｐｒｏ」モードにおける第１番目の表示項目である「動作モード切り替え」のメニューを示しており、上下キースイッチ２１をアップ操作することにより、第１表示部１７に、順次右方向に表示されるメニューの変遷を示す。上下キースイッチ２１をダウン操作することにより第１表示部１７の表示は逆方向（左方向）に順次変わる。
【００８９】
ここに、「ＦＩｎＥ」は基本動作モードであるファインモードを意味する。「ｔｕｒｂ」はターボモードを意味する。「ＳｕＰｒ」はスーパーターボモードを意味する。「ＵＬｔｒ」はウルトラターボモードを意味する。「ｈＳＰ」はハイスピードモードを意味する。「ｒＥＳｏ」はハイレゾリューションモードを意味する。ユーザは、所望の動作モードが表示されたら、Ｍキー２２を比較的短い時間押すことにより、これを設定して、第２番目の「タイマ」モード切り替え表示項目に移ることができる。
【００９０】
前述した（６）表示値シフトの切り替え及びシフト量の設定について説明すると、第１表示部１７の「ＳｈＦｔ」の文字は、「ｓｈｉｆｔ（シフト）」の略記であり、現在、表示値シフト切り替えモードにあることを示している。第２表示部１８の「ｏＦＦ」は、表示値シフト切り替え制御のオフを意味し、Ｍキー２３を押すと、表示値シフト切り替え制御オフが設定される。
【００９１】
他方、上下キー２１を操作すると、右側の第２表示部１８が「ｏｎ」の文字に切り替わる。この「ｏｎ」は、表示値シフト切り替え制御のオンを意味し、この状態で、Ｍキー２３を押すと、右側の第２表示部１８に、シフト後の受光量が数値表示される（図示の例では「１２２４」）。他方、第１表示部１７は、シフト量（図示の例では「１０」）が１秒間表示され、ついで、「ＳｈＦｔ」の文字が０．２５秒間表示され、以後、これが繰り返される。
【００９２】
ユーザは、左側の第１表示部１７に反復的に表示される「ＳｈＦｔ」の文字とシフト量の数値とを見つつ、右側の表示部１８に表示されるシフト後の受光量の数値を見て、適当なシフト量を設定することができる。上下キー２１をアップ操作することによりシフト量の数値を増大することができ、その結果は、右側の第２表示部１８に直ちに反映される。逆に、上下キー２１をダウン操作することによりシフト量の数値を減少することができ、その結果は、右側の第２表示部１８に直ちに反映される。
【００９３】
前述した図２６の選択画面で「Ｅａｓｙ」を選択すると、図２８のＥａｓｙ（簡易表示）モードで表示が行われる。Ｅａｓｙモードでは、Ｍキー２３を比較的短い時間押すことにより、次の順序で表示が切り替わる。
【００９４】
「Ｅａｓｙ」モードでは、光電センサ１００の基本的な設定である上述の（１）動作モードの切り替え及び（２）タイマモードの切り替え及びタイマ値設定に限定した表示が行われる。Ｍキー２３を押すことにより、「動作モードの切り替え」表示を「タイマモードの切り替え」表示に変えることができ、更に、Ｍキー２３を押すと、「タイマモードの切り替え」表示から、基本表示画面である「受光量及び／又はしきい値関連表示」モードに戻る。すなわち、「タイマモードの切り替え」表示のときに、Ｍキー２３を押すと、「動作機能設定」モードを脱出して、先に説明した基本表示画面である「受光量及び／又はしきい値関連表示」に戻る。
【００９５】
この「Ｅａｓｙ」モードでは、「動作モードの切り替え」表示に関し、ユーザが選択可能な動作モードつまり選択可能なメニューが▲１▼ファインモード（「ＦＩｎＥ」）と▲２▼ターボモード（「ｔｕｒｂ」）と▲３▼スーパーターボモード（「ＳｕＰｒ」）の３種類の動作モードに制限されており、この中からユーザが上下キー２１を操作して選択した後にＭキー２３を押すことにより所望の動作モードを設定することができる。
【００９６】
この「Ｅａｓｙ」では、上述したように、一般的に使われる３つの動作モードに制限してあるが、例えば、前回「Ｐｒｏ」モードで、「Ｅａｓｙ」モードでは含まれていないハイレゾリューションモード（「ｒＥＳｏ」）が選択された後で、この「Ｅａｓｙ」モードに切り替えられた場合には、「動作モードの切り替え」のメニュー表示の中に「ｒＥＳｏ」（ハイレゾリューション）を加えて、この「Ｅａｓｙ」モードでも特別に現在設定されている動作モードを表示するようにしてもよい。この場合、特別に表示する「ｒＥＳｏ」の文字を「動作モードの切り替え」表示の先頭画面に設定して、「動作モードの切り替え」表示に入ると同時に、現在設定されているハイレゾリューションモードをユーザに認識させるのが最も好ましく、ユーザが、「動作モードの切り替え」のメニュー表示の中から、この本来「Ｅａｓｙ」モードで選択可能な例えばスーパーターボモード（「ＳｕＰｒ」）を選択した場合には、次回に「Ｅａｓｙ」モードに入ったときに、ハイレゾリューションモード（「ｒＥＳｏ」）がメニューから消失させるのがよい。
【００９７】
現在設定されている動作モードの表示に関し、これが例えばスーパーターボモード（「ｔｕｒｂ」）のように本来的に「Ｅａｓｙ」モードで選択可能な動作モードであるような場合であっても、「動作モードの切り替え」表示に入ると同時に、現在設定されている動作モードを先頭画面で表示するのが好ましい。これにより、ユーザは、先頭画面の表示を見ることで、現在設定されている動作モードを確認することができる。同様のことが選択メニューを備えた表示項目にも言える。すなわち、現在設定されている事項を先頭画面つまり初期画面に表示させることで、ユーザは、この初期画面を見ることで、現在設定されている内容を確認することができる。
【００９８】
「タイマモード切り替え及びタイマ値設定」での表示について説明すると、図２７や図２８の「ｔｏＦＦ」は、タイマモード「オフ」を意味する。したがって、この「ｔｏＦＦ」を選択すると上述したタイマモードに関する制御はキャンセルされ、光電センサ１００が検出物Ｔを検出すると直ちに検出信号を出力する。Ｍキー２３を押すと、次の表示に切り替わる。
【００９９】
左側の第１表示部１７の「ｏｎ−ｄ」は、光電センサ１００がオン信号を外部機器に送出するときの遅延時間に関することを表示するものであり、右側の数字「４０」は、設定されている遅延時間（秒）を表示している。
【０１００】
図２７や図２８では、文字「ｏｎ−ｄ」が楕円で囲まれているが、この楕円は、「ｏｎ−ｄ」の文字が点滅表示されることを意味しており、上下キー２１をアップ又はダウン操作することにより他の表示に切り替わる又は数値を変更できることを視覚的に主張している。図中の楕円の意味は他の表示項目でも同様であり、第１又は第２の表示部１７、１８に楕円が付加されているものは、点滅表示されることを意味すると共に上下キー２１をアップ又はダウン操作することにより他の表示に切り替わる又は数値を変更できることを視覚的に主張している。なお、このような表示形式は、点滅表示に限られず、通常とは異なる色で表示するなど、ユーザが目で識別可能な方法で、この種の主張を行わせるようにしてもよい。
【０１０１】
「ｏｎ−ｄ」が点滅表示されている状態で、上下キー２１をアップ操作すると、第１表示部１７は「ｏｆｆｄ」の文字に変わり、また、「Ｓｈｏｔ」の文字に変わり、再び「ｏｎ−ｄ」に変わる。
【０１０２】
「ｏｆｆｄ」は、光電センサ１００がオフ信号を外部機器に送出するときの遅延時間に関することを表示するものであり、図示を省略したが、第２表示部１８には、遅延時間に相当する数字が表示される。「Ｓｈｏｔ」は、上述したワンショット制御に関することを表示するものであり、図示を省略したが、第２表示部１８には、遅延時間に相当する数字が表示される。
【０１０３】
例えば、オフ信号の出力を遅延させるのであれば、図２８のように、「ｏＦＦｄ」が点滅表示されている状態でＭキー２３を押すことにより、第２表示部１８の数字が点滅表示に切り替わる。この状態で、上下キー２１を操作することにより、表示されている数字を増減することができ、所望の数字が表示されたら上下キー２１の操作を止めて、Ｍキー２３を押すことにより、表示されている数字に対応する秒数だけ、光電センサ１００のオフ信号の出力を遅延させることができる。オフ信号の遅延やワンショット信号の遅延についても、同様の操作で設定することができる。
【０１０４】
図２７は、「Ｐｒｏ」モードでの動作機能設定に関する表示の遷移を示す。「Ｐｒｏ」モードでは、動作モード切り替えから、Ｍキー２３を押すことにより、タイマモード切り替え、ＡＰＣ切り替え、微分モード切り替え、基本画面である「受光量及び／又はしきい値関連表示」モードでの表示モード切り替え、エコモード切り替え、表示値シフト切り替えの各項目に切り替わり、更に、Ｍキー２３を押すことにより、この「動作機能設定」モードが終了して、基本表示画面である「受光量及び／又はしきい値関連表示」モード（図２４）に戻る。
【０１０５】
この「Ｐｒｏ」モードで表示される動作モード切り替えやタイマモード切り替えなどの各表示項目におけるメニューの選択及び数値の増減を、上下キー２１を操作することにより行うのは「Ｅａｓｙ」モードと同じである。
【０１０６】
この「Ｐｒｏ」モードの最後の表示項目である表示値シフト切り替えについて説明すると、第１表示部１７の「ＳｈＦｔ」の文字は、「ｓｈｉｆｔ（シフト）」の略記であり、現在、表示値シフト切り替えモードにあることを示している。第２表示部１８の「ｏＦＦ」は、表示値シフト切り替え制御のオフを意味し、Ｍキー２３を押すと、表示値シフト切り替え制御オフが設定されて、受光量に関する表示値は実際の受光量に対応した数値が基本表示画面である「受光量及び／又はしきい値関連表示」モードで表示される（図５参照）。
【０１０７】
他方、上下キー２１を操作すると、右側の第２表示部１８が「ｏｎ」の文字に切り替わる。この「ｏｎ」は、表示値シフト切り替え制御のオンを意味し、この状態で、Ｍキー２３を押すと、右側の第２表示部１８に、シフト後の受光量が数値表示される（図示の例では「１２２４」）。他方、第１表示部１７は、シフト量（図示の例では「１０」）が１秒間表示され、ついで、「ＳｈＦｔ」の文字が０．２５秒間表示され、以後、これが繰り返される。
【０１０８】
ユーザは、左側の第１表示部１７に反復的に表示される「ＳｈＦｔ」の文字とシフト量の数値とを見つつ、右側の表示部１８に表示されるシフト後の受光量の数値を見て、適当なシフト量を設定することができる。上下キー２１をアップ操作することによりシフト量の数値を増大することができ、その結果は、右側の第２表示部１８に直ちに反映される。逆に、上下キー２１をダウン操作することによりシフト量の数値を減少することができ、その結果は、右側の第２表示部１８に直ちに反映される。
【０１０９】
以上、第１実施例を説明したが、例えば、「Ｅａｓｙ」モードと「Ｐｒｏ」モードとの選択画面（図２６）や動作モード切り替え画面（図２６、図２７）、エコモード切り替え画面（図２６）など幾つかの選択肢から一つを選択する選択画面では、前回選択した事項を先頭画面つまり初期画面として表示するようにするのが好ましい。例えば、図２６において、前回「Ｐｒｏ」モードを選択した場合には、次に、動作モード設定モードに入ったら、「Ｐｒｏ」の文字が最初に表示されるようにするのがよい。
【０１１０】
上記の実施例によれば、通常の使用では、「Ｅａｓｙ」モードに含まれる２つの項目、つまり、▲１▼動作モード切り替え及び▲２▼タイマモード切り替え及びタイマ値設定で十分であり、この２つの項目に関する設定で光電センサ１００の基本的な動作を十分に確保することができる。したがって、通常の使用態様であれば、「Ｅａｓｙ」モードを選択することで、不必要な項目の表示無しに設定操作を完了することができる。このことは、部分的な表示を行う「Ｓｔｄ」モードと全ての表示を行う「Ｆｕｌｌ」モードとを選択可能にした、基本表示画面である「受光量及び／又はしきい値関連表示」モードについても言える。
【０１１１】
つまり、「Ｅａｓｙ」モードを選択することで、表示項目を必要最小限に絞り込むことができ、これにより設定操作に伴うＭキー２３の入力回数を大幅に減らすことができる。換言すれば、通常の使用態様では初期設定で十分な項目までもが表示され、誤って設定を変えてしまう虞が無い。また、仮に「Ｅａｓｙ」モードの表示項目の中で、誤った設定を行ったとしても、この誤設定の項目に戻るのに必要なＭキー２３の入力回数を大幅に減じることができ、再設定のための煩雑さを解消することができる。
【０１１２】
高度な設定を行いたいユーザは、「Ｐｒｏ」モードを選択して自らにとって合理的なパラメータを設定すればよい。このようなユーザにとっては、光電センサ１００の全ての機能の設定が変更可能又は切り替え可能であることが重要であり、光電センサ１００の取り扱いにも精通していることが多い。したがって、誤った設定を行ってしまう虞は小さい。むしろ、「Ｐｒｏ」という文字表示を見せて、これを選択させることで、これ以降の操作に注意を促すことができるため、マンマシンインターフェースとしては好ましいものとなる。
【０１１３】
光電センサ１００が、前回「Ｐｒｏ」モードを選択した場合には、次に、動作モード設定モードに入ったら「Ｐｒｏ」の文字が最初に表示されるようにする機能を含む場合には、この「Ｐｒｏ」の文字を呼び出すために上下キー２１を操作する必要がないため、Ｍキー２３を押すだけで「Ｐｒｏ」モードに入ることができるため、例えば、「Ｐｒｏ」モードで表示される項目に誤設定をしてしまい、再度「Ｐｒｏ」モードに入らなければならない場合に、「Ｅａｓｙ」モードとの選択工程を設けたことによりキー又はスイッチ操作が煩雑になってしまう、という問題の発生を回避することができる。
【０１１４】
以上、第１、第２の２つの表示部１７、１８を備えたデュアルモニタ式光電センサ１００を例に説明した。このデュアルモニタ式光電センサ１００において、基本表示態様の「受光量及び／又はしきい値関連表示」モードにおいて、前述のように、余裕度と現在の受光量とを同時に表示するようにしてあるため、これらの表示を見ながらしきい値の調整を行うことができる。ユーザは、検出環境に応じてしきい値を微調整するときに、例えば受光量が極端に小さいことを視認することで、光電センサが検出スイッチとして機能するのに性能限界に近い状態にあることを直ちに知ることができる。したがって、このしきい値の調整作業を行っている最中に、検出環境の見直し、その改善を直ちに行うことができる。したがって、従来では、何回も試行錯誤して始めてしきい値の最適化が可能であったが、実施例の光電センサ１０によれば、効率良く検出環境の改善としきい値の最適化を実現することができる。
【０１１５】
第１、第２の表示部１７、１８の少なくともいずれか一方を２色ＬＥＤで構成したときには、上述した光電センサが検出スイッチとして機能するのに性能限界に近い状態にある事実を、第１、第２の表示部１７、１８の少なくともいずれか一方を通常とは異なる色で表示することによりユーザに積極的に教えるようにしてもよい。
【０１１６】
また、基本表示態様の「受光量及び／又はしきい値関連表示」モードにおいて、第５、第６表示メニューで、受光量の最大値と最小値とを同時に表示することから、検出物が高速に動く検出環境であっても、検出物の有無を検出するのに、受光量の差が十分であるか否か視認することができる。
【０１１７】
上記の第１実施例において、Ｍキー２３を長押しすることで、設定変更に関する「Ｅａｓｙ」又は「Ｐｒｏモード」との選択画面が表示される。ユーザは、光電センサの基本的な設定だけを変更又はチェックすればよいのであれば、「Ｅａｓｙ」モードを選択すればよい。これにより、必要最小限の設定つまり光電センサの基本的な設定であり使用頻度の高い項目に絞り込んで表示されるため、数多くの機能を備えた光電センサであったとしても、全ての項目が次々と画面に現れて、これをジャンプするのに度重なる煩わしいキー操作を不要にすることができる。また、この不要な表示をジャンプするつもでキー操作したはずが、誤った操作であったときの不要な設定変更に煩わされることもない。
【０１１８】
その一方で光電センサに含まれている数多く機能を使うユーザであれば、「Ｐｒｏ」モードを選択することで、全機能に関する設定の変更を行うことができ、多機能化した光電センサを検出環境に応じて適切に使用することができる。
【０１１９】
同じように、基本表示態様の「受光量及び／又はしきい値関連表示」モードに関しても、使用頻度の高い幾つかの項目だけを循環して表示する「Ｓｔｄ」（スタンダード）表示モードと、全ての項目を循環して表示する全表示モードとに切り替えることができるため、ユーザが例えば数値だけを見て修正するのであれば、「Ｓｔｄ」表示モードを設定することで、循環して表示される項目の数を絞り込むことができ、全ての項目が次々と画面に現れて、これをジャンプするのに度重なる煩わしいキー操作を不要にすることができる。
【０１２０】
以上、本発明の好ましい実施例を詳しく説明したが、２入力機構を備えた光電センサでは、第１現在値と第２現在値とを加算又は減算した値や、第１現在値と第２現在値との和のピークホールド値やピークボトル値又は第１現在値と第２現在値との差のピークホールド値やピークボトル値を例えば第１表示部１７に表示し、これに関連した情報を他方の表示部１８に表示してもよい。
【０１２１】
例えば、板状のワークの表面側と裏面側とに設置した２つの反射型センサの第１現在値と第２現在値の和からワークの厚さのバラツキを知ることができ、また、このバラツキの幅は、第１現在値と第２現在値との和のピークホールド値やピークボトル値又は第１現在値と第２現在値との差のピークホールド値やピークボトル値から知ることができる。
【図面の簡単な説明】
【図１】本発明が適用可能なデュアルモニタ式２入力光電センサの斜視図である。
【図２】図１の２入力光電センサの平面図である。
【図３】図１の２入力光電センサの回路図である。
【図４】２つの表示部を使って設定値と現在値とを同時に表示するモードを説明するための図である。
【図５】２つの表示部を使って第１現在値と第２現在値を同時に表示するモードを説明するための図である。
【図６】２つの表示部を使って第１設定値（しきい値）と第２設定値（しきい値）を同時に表示するモードを説明するための図である。
【図７】２つの表示部を使って設定値（しきい値）とこれに関連した現在値を同時に表示するモードを説明するための図である。
【図８】２つの表示部を使って第１設定値（しきい値）と第１余裕度を同時に表示するモードを説明するための図である。
【図９】２つの表示部を使って第２設定値（しきい値）と第２余裕度を同時に表示するモードを説明するための図である。
【図１０】２つの表示部を使って第１、第２の余裕度を同時に表示するモードを説明するための図である。
【図１１】２つの表示部を使って設定値（しきい値）とこれに関連した余裕度を同時に表示するモードを説明するための図である。
【図１２】２つの表示部を使って現在値とこれに関連した余裕度を同時に表示するモードを説明するための図である。
【図１３】２つの表示部を使って第１ピークホールド値と第１ボトムホールド値を同時に表示するモードを説明するための図である。
【図１４】２つの表示部を使って第２ピークホールド値と第２ボトムホールド値を同時に表示するモードを説明するための図である。
【図１５】２つの表示部を使って第１、第２のピークホールド値を同時に表示するモードを説明するための図である。
【図１６】２つの表示部を使って第１、第２のピークボトム値を同時に表示するモードを説明するための図である。
【図１７】２つの表示部を使ってピークホールド値とこれに関連したピークボトム値を同時に表示するモードを説明するための図である。
【図１８】２つの表示部を使って第１、第２のピークホールド値と、これに関連した第１、第２のピークボトム値を同時に表示するモードを説明するための図である。
【図１９】バー形式の余裕度の表示を説明するための図である。
【図２０】横並びに配置した２つの表示部を一体的に使った第１、第２の余裕度のバー表示の一例を説明するための図である。
【図２１】横並びに配置した２つの表示部を一体的に使った第１、第２の余裕度のバー表示の他の例を説明するための図である。
【図２２】バー形式で第１、第２の余裕度を第１表示部に表示し、第２の表示部には第１、第２の現在値を切り替え表示するモードを説明するための図である。
【図２３】実施例の表示方法の概要の説明図である。
【図２４】基本表示態様におけるＳｔｄ表示モードでの画面の遷移を示す図である。
【図２５】図２４と一体となって基本表示態様におけるＦｕｌｌ表示モードでの画面の遷移を示す図である。
【図２６】基本表示態様から第２の表示態様へ移行する途中で、第２の表示態様での２つの表示モード（ＰｒｏモードとＥａｓｙモード）から択一的に選択するための選択画面を説明するための図である。
【図２７】Ｐｒｏモードでの画面の遷移を示す図である。
【図２８】Ｅａｓｙモードでの画面の遷移を示す図である。
【符号の説明】
１００    光電センサ
１７      左側の第１表示部
１８      右側の第２表示部
２１      上下キースイッチ
２３      モード切り替えスイッチ
【図１】
2004184193.tif 000003
【図２】
2004184193.tif 000004
【図３】
2004184193.tif 000005
【図４】
2004184193.tif 000006
【図５】
2004184193.tif 000007
【図６】
2004184193.tif 000008
【図７】
2004184193.tif 000009
【図８】
2004184193.tif 000010
【図９】
2004184193.tif 000011
【図１０】
2004184193.tif 000012
【図１１】
2004184193.tif 000013
【図１２】
2004184193.tif 000014
【図１３】
2004184193.tif 000015
【図１４】
2004184193.tif 000016
【図１５】
2004184193.tif 000017
【図１６】
2004184193.tif 000018
【図１７】
2004184193.tif 000019
【図１８】
2004184193.tif 000020
【図１９】
2004184193.tif 000021
【図２０】
2004184193.tif 000022
【図２１】
2004184193.tif 000023
【図２２】
2004184193.tif 000024
【図２３】
2004184193.tif 000025
【図２４】
2004184193.tif 000026
【図２５】
2004184193.tif 000027
【図２６】
2004184193.tif 000028
【図２７】
2004184193.tif 000029
【図２８】
2004184193.tif 000030